(57)【要約】本発明は、ＤＶＤプレーヤー動作装置及び方法、より詳細には、デジタルＴＶから画面比率及び解像度情報を受信して自動でデジタルＴＶのディスプレイ環境を最適に設定するＤＶＤプレーヤー及びその動作方法に関する。最適のディスプレイ環境を設定するＤＶＤプレーヤーの動作方法は、デジタルＴＶと所定通信ケーブルを通じて連結されたＤＶＤプレーヤーの動作方法であって、（ａ）デジタルＴＶとのデータ通信が始まれば、要請に応じて通信ケーブルのうち所定チャンネルを通じてデジタルＴＶのディスプレイ環境設定情報を受信するステップと、（ｂ）ディスプレイ環境設定情報に適するようにＤＶＤ再生信号を変換して、通信ケーブルを通じてデジタルＴＶに出力するステップと、を含む。これにより、ユーザが直接入力しなくてもデジタルＴＶから画面比率及び解像度情報を受信してデジタルＴＶのディスプレイ環境を最適に設定することによってユーザの便宜性を図る。
2007503751.tif 000002
【特許請求の範囲】
【請求項１】
デジタルＴＶと所定通信ケーブルを通じて連結されたＤＶＤプレーヤーの動作方法であって、
（ａ）前記デジタルＴＶとのデータ通信が始まれば、要請に応じて前記通信ケーブルのうち所定チャンネルを通じて前記デジタルＴＶのディスプレイ環境設定情報を受信するステップと、
（ｂ）前記ディスプレイ環境設定情報に適するようにＤＶＤ再生信号を変換して、前記通信ケーブルを通じて前記デジタルＴＶに出力するステップと、を含むディスプレイ環境を設定する方法。
【請求項２】
前記（ａ）ステップで受信したディスプレイ環境設定情報は、前記デジタルＴＶの画面比率情報であることを特徴とする請求項１に記載のディスプレイ環境を設定する方法。
【請求項３】
前記（ｂ）ステップで、
前記デジタルＴＶの画面比率情報に適するように、前記ＤＶＤ再生信号を変換して前記通信ケーブルに出力することを特徴とする請求項２に記載のディスプレイ環境を設定する方法。
【請求項４】
前記（ａ）ステップで受信したディスプレイ環境設定情報は前記デジタルＴＶの解像度情報であることを特徴とする請求項１に記載のディスプレイ環境を設定する方法。
【請求項５】
前記（ｂ）ステップで、
前記デジタルＴＶの解像度情報に適するように、前記ＤＶＤ再生信号を変換して前記通信ケーブルに出力することを特徴とする請求項４に記載のディスプレイ環境を設定する方法。
【請求項６】
前記（ａ）ステップで受信したディスプレイ環境設定情報は、前記暗号化された再生信号を解読できる機能の有無を表す暗号解読機能情報であることを特徴とする請求項１に記載のディスプレイ環境を設定する方法。
【請求項７】
前記暗号解読機能情報が受信されていない場合、
前記受信されたディスプレイ環境設定情報に関係なく、ノイズを前記通信ケーブルに出力することを特徴とする請求項６に記載のディスプレイ環境を設定する方法。
【請求項８】
デジタルＴＶと所定通信ケーブルを通じて連結されたＤＶＤプレーヤーであって、
制御信号により前記ＤＶＤプレーヤーの再生信号をスケーリングするスケーラーと、
前記スケーリングされた再生信号を前記通信環境に適した再生信号に変換して前記ケーブルに出力する信号変換部と、
前記デジタルＴＶとのケーブル連結及びデータ通信の有無をチェックし、前記ケーブルの特定チャンネルを通じて前記デジタルＴＶのディスプレイ環境設定情報を受信し、受信したディスプレイ環境設定情報によって前記再生信号のスケーリングを変換させる制御信号を出力する制御部と、を備えるディスプレイ環境を設定するＤＶＤプレーヤー。
【請求項９】
前記制御部は、
前記ディスプレイ環境設定情報として前記デジタルＴＶの画面比率情報を受信することを特徴とする請求項８に記載のディスプレイ環境を設定するＤＶＤプレーヤー。
【請求項１０】
前記制御部は、
前記デジタルＴＶの画面比率情報に適するように、前記再生信号をスケーリングする制御信号を出力することを特徴とする請求項９に記載のディスプレイ環境を設定するＤＶＤプレーヤー。
【請求項１１】
前記制御部は、
前記ディスプレイ環境設定情報として前記デジタルＴＶの解像度情報を受信することを特徴とする請求項８に記載のディスプレイ環境を設定するＤＶＤプレーヤー。
【請求項１２】
前記制御部は、
前記デジタルＴＶの解像度情報に適するように、前記再生信号をスケーリングする制御信号を出力することを特徴とする請求項１１に記載のディスプレイ環境を設定するＤＶＤプレーヤー。
【請求項１３】
前記制御部は、
前記ディスプレイ環境設定情報として、前記暗号化された再生信号を解読できる機能の有無を表す暗号解読機能情報を受信することを特徴とする請求項８に記載のディスプレイ環境を設定するＤＶＤプレーヤー。
【請求項１４】
前記制御部は、
暗号解読機能情報を受信していない場合、前記スケーラー及び信号変換部の動作を中止させ、前記受信したディスプレイ環境設定情報に関係なく、ノイズを前記通信ケーブルに出力することを特徴とする請求項１３に記載のディスプレイ環境を設定するＤＶＤプレーヤー。
【請求項１５】
前記スケーラーは、
前記制御信号に応答して前記信号をアップまたはダウンスケーリングすることを特徴とする請求項８に記載のディスプレイ環境を設定するＤＶＤプレーヤー。
【発明の詳細な説明】
【技術分野】
【０００１】
本発明は、ＤＶＤプレーヤー動作装置及び方法に係り、より詳細には、デジタルＴＶから画面比率及び解像度情報を受信して自動でデジタルＴＶのディスプレイ環境を最適に設定するＤＶＤプレーヤー及びその動作方法に関する。
【背景技術】
【０００２】
図１は、従来技術によるデジタルＴＶの最適（Ｏｐｔｉｍａｌ）ディスプレイ環境を設定する装置の構成を示すブロック図であって、ＤＶＤプレーヤー１００、ＤＶＩ（Ｄｉｇｉｔａｌ Ｖｉｓｕａｌ Ｉｎｔｅｒｆａｃｅ）コネクタ１０１、ＤＶＩケーブル１０２及びデジタルＴＶ・１０３で構成される。
ＤＶＩケーブル１０２は、ＤＶＤプレーヤー１００及びデジタルＴＶ・１０３のデジタル映像信号伝送のために使われる。ＤＶＤプレーヤー１００から出力されるデジタル映像信号は、ＤＶＩコネクタ１０１及びＤＶＩケーブル１０２を通じてデジタルＴＶ・１０３に伝送される。しかし、現在ＤＶＤプレーヤー１００は、ユーザが持っているディスプレイ装置（図１でデジタルＴＶ・１０３）によって画面比率及び解像度を手動で設定せねばならない。
例えば、ユーザが持っているデジタルＴＶ・１０３の画面比率が１６：９であり、解像度が７２０×１０８０であると仮定する。以後ＤＶＤプレーヤー１００の再生時に、ユーザは、デジタルＴＶ・１０３の画面比率及び解像度をＤＶＤプレーヤー１００上でメニューを呼び出して選択するか、直接設定せねばならない。
しかし、ディスプレイ装置について専門的な知識を持っていないか、ディスプレイ装置の正確なスペックが分からないユーザには、ＤＶＤプレーヤー１００にディスプレイ装置の画面比率及び解像度を設定することが困難である。
したがって、画面比率及び解像度のような特徴についての値を含むデジタルＴＶについて最適のディスプレイ環境を自動で設定するシステム及び方法が要求される。
【発明の開示】
【発明が解決しようとする課題】
【０００３】
本発明が解決しようとする技術的な課題は、デジタルＴＶから画面比率及び解像度情報を受信してデジタルＴＶのディスプレイ環境を最適に設定して、ユーザの便宜性を図る最適のディスプレイ環境を設定するＤＶＤプレーヤー及びその動作方法を提供するところにある。
【課題を解決するための手段】
【０００４】
本発明が解決しようとする前記技術的な課題を解決するための最適のディスプレイ環境を設定するＤＶＤプレーヤーは、デジタルＴＶと所定通信ケーブルを通じて連結されたＤＶＤプレーヤーの動作方法であって、制御信号により前記ＤＶＤプレーヤーの再生信号をスケーリングするスケーラーと、前記スケーリングされた再生信号を前記通信環境に適した再生信号に変換して前記ケーブルに出力する信号変換部と、前記デジタルＴＶとのケーブル連結及びデータ通信の有無をチェックし、前記ケーブルの特定チャンネルを通じて前記デジタルＴＶのディスプレイ環境設定情報を受信し、受信したディスプレイ環境設定情報によって前記再生信号のスケーリングを変換させる制御信号を出力する制御部と、を備えることが望ましい。
本発明において、前記制御部は、前記ディスプレイ環境設定情報として前記デジタルＴＶの画面比率情報を受信することを特徴とする。
本発明において、前記制御部は、前記デジタルＴＶの画面比率情報に適するように、前記再生信号をスケーリングする制御信号を出力することを特徴とする。
本発明において、前記制御部は、前記ディスプレイ環境設定情報として、前記デジタルＴＶの解像度情報を受信することを特徴とする。
本発明において、前記制御部は、前記デジタルＴＶの解像度情報に適するように、前記再生信号をスケーリングする制御信号を出力することを特徴とする。
本発明において、前記制御部は、前記ディスプレイ環境設定情報として、前記暗号化された再生信号を解読できる機能の有無を表す暗号解読機能情報を受信することを特徴とする。
本発明において、前記制御部は、暗号解読機能情報を受信していない場合、前記スケーラー及び信号変換部の動作を中止させ、前記受信したディスプレイ環境設定情報に関係なく、ノイズを前記通信ケーブルに出力することを特徴とする。
本発明において、前記スケーラーは、前記制御信号に応答して前記信号をアップまたはダウンスケーリングすることを特徴とする。
【０００５】
本発明が解決しようとする前記技術的な課題を解決するための最適のディスプレイ環境を設定するＤＶＤプレーヤーの動作方法は、デジタルＴＶと所定通信ケーブルを通じて連結されたＤＶＤプレーヤーの動作方法であって、（ａ）前記デジタルＴＶとのデータ通信が始まれば、要請に応じて前記通信ケーブルのうち所定チャンネルを通じて前記デジタルＴＶのディスプレイ環境設定情報を受信するステップと、（ｂ）前記ディスプレイ環境設定情報に適するようにＤＶＤ再生信号を変換して、前記通信ケーブルを通じて前記デジタルＴＶに出力するステップと、を含むことが望ましい。
本発明において、前記（ａ）ステップで受信したディスプレイ環境設定情報は、前記デジタルＴＶの画面比率情報であることを特徴とする。
本発明において、前記（ｂ）ステップで、前記デジタルＴＶの画面比率情報に適するように、前記ＤＶＤ再生信号を変換して前記通信ケーブルに出力することを特徴とする。
本発明において、前記（ａ）ステップで受信したディスプレイ環境設定情報は前記デジタルＴＶの解像度情報であることを特徴とする。
本発明において、前記（ｂ）ステップで、前記デジタルＴＶの解像度情報に適するように、前記ＤＶＤ再生信号を変換して前記通信ケーブルに出力することを特徴とする。
本発明において、前記（ａ）ステップで受信したディスプレイ環境設定情報は、前記暗号化された再生信号を解読できる機能の有無を表す暗号解読機能情報であることを特徴とする。
本発明において、前記暗号解読機能情報が受信されていない場合、前記受信されたディスプレイ環境設定情報に関係なく、ノイズを前記通信ケーブルに出力することを特徴とする。
【発明の効果】
【０００６】
本発明によれば、ユーザが直接入力しなくてもデジタルＴＶから画面比率及び解像度情報を受信してデジタルＴＶのディスプレイ環境を最適に設定することによって、ユーザの便宜性を図る。
【発明を実施するための最良の形態】
【０００７】
以下、添付された図面を参照して本発明を詳細に説明する。
図２は、本発明による最適（Ｏｐｔｉｍａｌ）ディスプレイ環境を設定するＤＶＤプレーヤーの構成を示すブロック図であって、ＤＶＤプレーヤー２００及びデジタルＴＶ・２０１で構成される。本発明でＤＶＤプレーヤー２００及びデジタルＴＶ・２０１は、ＤＶＩコネクタまたはケーブル２０２で連結されている。本発明でＤＶＤプレーヤー２００は、制御部２００−１、ＤＶＩ ＪＡＣＫ・２００−２、信号変換部２００−３、スケーラー２００−４、メモリ２００−５で構成される。本発明でＤＶＤプレーヤー２００からデジタルＴＶ・２０１に送受信されるあらゆる信号は、ＤＶＩケーブル２０２と連結されたＤＶＩ ＪＡＣＫ・２００−２を通じて送受信される。
【０００８】
図３は、本発明による最適のディスプレイ環境を設定するＤＶＤプレーヤーの動作方法を示すフローチャートであって、ＤＶＤプレーヤーとデジタルＴＶとの間にＤＶＩケーブルが連結されたかどうかを判断するステップ（３００）、ＤＶＩケーブルがデジタルＴＶと連結されていない場合にＤＶＩケーブルの連結如何のチェックメッセージを出力するステップ（３０１）、ＤＶＩケーブルがデジタルＴＶと連結された場合にＤＶＤプレーヤーとデジタルＴＶとのデータ通信可否を判断するステップ（３０２）、データ通信が可能な場合に、デジタルＴＶからコンテンツ保護解除機能の有無情報、画面比率及び解像度情報を要請して受信するステップ（３０３）、コンテンツ保護解除機能の有無を判断するステップ（３０４）、コンテンツ保護解除機能がない場合にノイズを出力するステップ（３０５）、コンテンツ保護解除機能がある場合にデジタルＴＶから受信された画面比率及び解像度情報に適するようにＤＶＤプレーヤー再生信号を変換して、デジタルＴＶに伝送するステップ（３０６）で構成される。
【０００９】
次いで、図２及び図３を参照して本発明を詳細に説明する。
まず、図２を参照して最適のディスプレイ環境を設定するＤＶＤプレーヤーについて説明する。
従来は、デジタルＴＶ・２０１の画面比率または解像度に関係なく、ＤＶＤプレーヤー２００から出力される画面比率または解像度を手動で変更した。しかし、本発明では、デジタル映像伝送方式であるＤＶＩ及びＨＤＭＩ（Ｈｉｇｈ Ｄｅｆｉｎｉｔｉｏｎ Ｍｕｌｔｉｍｅｄｉａ Ｉｎｔｅｒｆａｃｅ）通信を行うＤＶＤプレーヤー２００とデジタルＴＶ・２０１との間で、ＤＶＤプレーヤー２００が自動的にデジタルＴＶ・２０１からディスプレイスペックを受信し、ディスプレイスペックを利用してデジタルＴＶ・２０１のディスプレイ環境に適するように画面比率及び解像度を調整して自動で出力する。
【００１０】
ＤＶＤプレーヤー２００とデジタルＴＶ・２０１とは、ＤＶＩケーブル２０２で連結されてＤＶＩ及びＨＤＭＩ通信を通じてデジタル映像データを送受信する。図示されていないが、本願発明に適用されるＤＶＩケーブル２０２は、デジタル映像データを送受信する３つのデータチャンネル、クロックを送受信する一つのクロックチャンネル、デジタルＴＶ・２０１のディスプレイ環境情報を受信する一つのディスプレイデータチャンネル（ＤＤＣ：Ｄｉｓｐｌａｙ Ｄａｔａ Ｃｈａｎｎｅｌ）、ＤＶＩケーブル２０２がＤＶＤプレーヤー２００及びデジタルＴＶ・２０１に接続されたかどうかをチェックする一つのＨｏｔ−ｐｌｕｇチャンネルで構成される。ここで、データチャンネルはその使用用途によって拡張が可能である。
【００１１】
ＤＶＤプレーヤー２００の制御部２００−１は、ＤＶＩケーブル２０２がデジタルＴＶ・２０１に接続されたかどうかをチェックする。この時、制御部２００−１は、ＤＶＩケーブル２０２のＨｏｔ−ｐｌｕｇチャンネルを通じてデジタルＴＶ・２０１の接続如何をチェックできる。
例えば、制御部２００−１がＨｏｔ−ｐｌｕｇチャンネルを通じて５Ｖ信号を受信すれば、ＤＶＩケーブル２０２がデジタルＴＶ・２０１に接続されたと判断する。しかし、制御部２００−１がＨｏｔ−ｐｌｕｇチャンネルを通じて０Ｖ信号を受信すれば、ＤＶＩケーブル２０２がデジタルＴＶ・２０１に接続されていないと判断して、これを確認せよというメッセージを出力する。
ＤＶＤプレーヤー２００とデジタルＴＶ・２０１とは、ＤＶＩケーブル２０２を通じてＩ２Ｃ通信を行うが、制御部２００−１は、ＤＶＩケーブル２０２のデータチャンネルを通じてデジタルＴＶ・２０１とのデータ通信可否をチェックできる。
【００１２】
ＤＶＩケーブル２０２がデジタルＴＶ・２０１に連結され、デジタルＴＶ・２０１とのデータ通信が可能になれば、制御部２００−１は、ディスプレイデータチャンネルを通じてデジタルＴＶ・２０１にディスプレイ環境を設定するための情報を要請する。
要請信号を受信したデジタルＴＶ・２０１は、ディスプレイデータチャンネルを通じてディスプレイ環境を設定するための情報を送信する。
ここで、ディスプレイ環境を設定するための情報は、画面比率情報、解像度情報及び暗号化された再生信号を解読できる機能を表すコンテンツ保護解除機能情報に大別できる。
デジタルＴＶ・２０１は、ディスプレイデータチャンネルを通じて画面比率情報として４：３または１６：９を伝送でき、解像度情報としてＮＴＳＣ ＴＶである場合に４８０ｉ〜１０８０ｐ、またはＰＡＬ ＴＶである場合に５７６ｉ〜１０８０ｐのうち任意の情報を伝送でき、暗号化された再生信号を解読できる機能を表すコンテンツ保護解除機能情報の有無信号を伝送できる。
【００１３】
制御部２００−１がディスプレイデータチャンネルを通じてコンテンツ保護解除機能がないという情報を受信すれば、すなわち、暗号化された再生信号をデジタルＴＶ・２０１が解読できないという信号を受信すれば、信号変換部２００−３及びスケーラー２００−４の動作を中止させ、ＤＶＩ ＪＡＣＫ・２００−２を通じてＤＶＩケーブル２０２にノイズを出力する。
しかし、制御部２００−１がディスプレイデータチャンネルを通じてコンテンツ保護解除機能があるという情報を受信すれば、すなわち、暗号化された再生信号をデジタルＴＶ・２０１が解読できるという信号を受信すれば、制御部２００−１は、再生信号をデジタルＴＶ・２０１から受信されたディスプレイ環境情報に合わせて変換させるための制御を行う。
【００１４】
制御部２００−１は、スケーラー２００−４のスケーリング動作を制御するが、スケーラー２００−４は、再生信号をデジタルＴＶ・２０１から受信された画面比率及び解像度に適するようにスケーリングする。
例えば、制御部２００−１がデジタルＴＶ・２０１から画面比率情報として１６：９を受信し、解像度情報として１０８０ｐの情報を受信すれば、スケーラー２００−４はこれに合わせて再生信号をスケーリングする。メモリ２００−５は、スケーリングのためにデータが入出力されるバッファの役割を行う。
【００１５】
制御部２００−１は、信号変換部２００−３の信号変換動作を制御するが、信号変換部２００−３は、スケーリングされた再生信号をＤＶＩフォーマットに合わせて変換する。ＤＶＩフォーマットに変換された再生信号は、ＤＶＩケーブル２０２のデータチャンネルを通じてデジタルＴＶ・２０１に伝送される。デジタルＴＶ・２０１は再生信号を再生するが、この時、ディスプレイ環境（画面比率及び解像度）は最適の状態となる。
【００１６】
次いで、図３を参照して最適のディスプレイ環境を設定するＤＶＤプレーヤーの動作方法について説明する。
ＤＶＤプレーヤー２００の制御部２００−１は、デジタルＴＶ・２０１がＤＶＩケーブル２０２に連結されたかどうかを判断する（３００ステップ）。
制御部２００−１は、ＤＶＩケーブル２０２のＨｏｔ−ｐｌｕｇチャンネルを通じてデジタルＴＶ・２０１の接続如何をチェックできる。例えば、制御部２００−１がＨｏｔ−ｐｌｕｇチャンネルを通じて５Ｖ信号を受信すれば、ＤＶＩケーブル２０２がデジタルＴＶ・２０１に接続されたと判断する。
デジタルＴＶ・２０１がＤＶＩケーブル２０２に連結されていない場合、すなわち、制御部２００−１がＨｏｔ−ｐｌｕｇチャンネルを通じて０Ｖ信号を受信すれば、制御部２００−１は、ＤＶＩケーブル２０２がデジタルＴＶ・２０１に接続されていないと判断し、これを確認せよというメッセージを出力する（３０１ステップ）。
デジタルＴＶ・２０１がＤＶＩケーブル２０２に連結された場合、制御部２００−１は、デジタルＴＶ・２０１とデータ通信できるかどうかを判断する（３０２ステップ）。
ＤＶＤプレーヤー２００とデジタルＴＶ・２０１とは、ＤＶＩケーブル２０２を通じてＩ２Ｃ通信を行うが、制御部２００−１は、ＤＶＩケーブル２０２のデータチャンネルを通じてデジタルＴＶ・２０１とのデータ通信できるかどうかをチェックできる。
【００１７】
ＤＶＩケーブル２０２がデジタルＴＶ・２０１に連結され、デジタルＴＶ・２０１とのデータ通信が可能になれば、制御部２００−１は、ディスプレイデータチャンネルを通じてデジタルＴＶ・２０１にディスプレイ環境を設定するための情報を要請し、デジタルＴＶ・２０１からディスプレイデータチャンネルを通じてディスプレイ環境を設定するための情報を受信する（３０３ステップ）。
ディスプレイ環境を設定するための情報は、画面比率情報、解像度情報及び暗号化された再生信号を解読できる機能を表すコンテンツ保護解除機能情報に大別できる。デジタルＴＶ・２０１は、ディスプレイデータチャンネルを通じて画面比率情報として４：３または１６：９を伝送でき、解像度情報としてＮＴＳＣ ＴＶである場合に４８０ｉ〜１０８０ｐ、またはＰＡＬ ＴＶである場合に５７６ｉ〜１０８０ｐのうち任意の情報を伝送でき、暗号化された再生信号を解読できる機能を表すコンテンツ保護解除機能情報の有無信号を伝送できる。
【００１８】
制御部２００−１は、ディスプレイ環境を設定するための情報中にコンテンツ保護解除機能があるかどうかを判断する（３０４ステップ）。
制御部２００−１が、ディスプレイデータチャンネルを通じてコンテンツ保護解除機能がないという情報を受信すれば、すなわち、暗号化された再生信号をデジタルＴＶ・２０１が解読できないという信号を受信すれば、ＤＶＩケーブル２０２にノイズを出力する（３０５ステップ）。
しかし、制御部２００−１が、ディスプレイデータチャンネルを通じてコンテンツ保護解除機能があるという情報を受信すれば、すなわち、暗号化された再生信号をデジタルＴＶ・２０１が解読できるという信号を受信すれば、制御部２００−１は、再生信号をデジタルＴＶ・２０１から受信されたディスプレイ環境情報に合わせて変換して、ＤＶＩケーブル２０２を通じてデジタルＴＶ・２０１に伝送する（３０６ステップ）。
【００１９】
スケーラー２００−４は、制御部２００−１の制御により再生信号をデジタルＴＶ・２０１から受信された画面比率及び解像度に適するようにスケーリングする。例えば、制御部２００−１がデジタルＴＶ・２０１から画面比率情報として１６：９を受信し、解像度情報として１０８０ｐの情報を受信すれば、スケーラー２００−４は、これに合わせて再生信号をスケーリングする。また、信号変換部２００−３は、制御部２００−１の制御によりスケーリングされた再生信号をＤＶＩフォーマットに合わせて変換する。ＤＶＩフォーマットに変換された再生信号は、ＤＶＩケーブル２０２のデータチャンネルを通じてデジタルＴＶ・２０１に伝送される。デジタルＴＶ・２０１は再生信号を再生するが、この時、ディスプレイ環境（画面比率及び解像度）は最適の状態となる。
【００２０】
これまで本発明についてその望ましい実施形態を中心に説明した。当業者ならば、本発明が本発明の本質的な特性から逸脱しない範囲で変形された形態に具現できるということを理解できるであろう。したがって、開示された実施形態は、限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【図面の簡単な説明】
【００２１】
【図１】従来技術による最適のディスプレイ環境を設定する装置の構成を示すブロック図である。
【図２】本発明による最適のディスプレイ環境を設定するＤＶＤプレーヤーの構成を示すブロック図である。
【図３】本発明による最適のディスプレイ環境を設定するＤＶＤプレーヤーの動作方法を示すフローチャートである。
【符号の説明】
【００２２】
２００  ＤＶＤプレーヤー
２００−１  制御部
２００−２  ＤＶＩ ＪＡＣＫ
２００−３  信号変換部
２００−４  スケーラー
２００−５  メモリ
２０１  デジタルＴＶ
２０２  ＤＶＩケーブル
【図１】
2007503751.tif 000003
【図２】
2007503751.tif 000004
【図３】
2007503751.tif 000005
【国際調査報告】
2007503751.tif 000006
2007503751.tif 000007